(57)【要約】【課題】ナースコール装置と病院情報コンピュータを連携させることにより、ナースコール装置の操作内容をそのまま看護記録として漏れなく自動記録することができるナースコール装置およびナースコールシステムを提供する。【解決手段】ナースコール装置は、患者名を入力する患者ネームプレート１０と、ナースコール応答用の受話器２０と、看護師名を入力する職員パネル４０と、看護記録項目を入力する記録パネル３０と、これらを制御する制御部６０と、を有する。そして、前記制御部は患者からのナースコールに応答して受話器２０で聴取したときに、当該患者のナースコール記録を自動作成する。【選択図】  図１
2010258869.tif 000002
【特許請求の範囲】
【請求項１】
患者名を入力する患者ネームプレートと、
ナースコール応答用の受話器と、
看護師名を入力する職員パネルと、
看護記録項目を入力する記録パネルと、
これらを制御する制御部と、を有し、
前記制御部は患者からのナースコールに応答して前記受話器で聴取したときに、当該患者のナースコール記録を自動作成することを特徴とするナースコール装置。
【請求項２】
前記ナースコール記録を表示する表示パネルを更に有し、
前記制御部は、前記職員パネルおよび又は前記記録パネルの操作に応じた前記看護師名および又は前記看護記録項目を、前記表示パネルに表示される前記ナースコール記録に時系列に入力することを特徴とする請求項１に記載のナースコール装置。
【請求項３】
前記記録パネルには、前記看護記録項目が表示される選択可能な複数の表示部が設けられていることを特徴とする請求項１に記載のナースコール装置。
【請求項４】
前記職員パネルは、前記看護師名が表示される選択可能な複数の表示部と、前記複数の看護師に対応して当該看護師の勤務状態を表す状態表示部とから構成されていることを特徴とする請求項１に記載のナースコール装置。
【請求項５】
前記職員パネルには、前記勤務状態を選択する複数の状態設定ボタンが設けられていることを特徴とする請求項４に記載のナースコール装置。
【請求項６】
患者の異常事態の発生を職員に報知する外部の異常報知用可動手段をＯｎ／Ｏｆｆする緊急ボタンが更に設けられていることを特徴とする請求項１に記載のナースコール装置。
【請求項７】
患者名を入力する患者ネームプレートと、ナースコール応答用の受話器と、看護師名を入力する職員パネルと、看護記録項目を入力する記録パネルと、これらを制御する制御部とを有し、前記制御部は患者からのナースコールに応答して前記受話器で聴取したときに当該患者のナースコール記録を自動作成するナースコール装置と、
前記ナースコール装置で作成された前記ナースコール記録が保存される看護記録データベースを有する病院情報コンピュータと、
を有することを特徴とするナースコールシステム。
【請求項８】
前記ナースコール装置は、前記ナースコール記録を表示する表示パネルを更に有し、
前記制御部は、前記職員パネルおよび又は前記記録パネルの操作に応じた前記看護師名および又は前記看護記録項目を、前記表示パネルに表示される前記ナースコール記録に時系列に入力することを特徴とする請求項７に記載のナースコールシステム。
【請求項９】
前記記録パネルは、前記看護記録項目が表示される選択可能な複数の表示部を有し、
前記看護記録項目は前記病院情報コンピュータから得ることを特徴とする請求項７に記載のナースコールシステム。
【請求項１０】
前記職員パネルは、前記看護師名が表示される選択可能な複数の表示部と、前記複数の看護師に対応して当該看護師の勤務状態を表示する状態表示部とから構成され、
前記看護師名は前記病院情報コンピュータから得ることを特徴とする請求項７に記載のナースコールシステム。
【請求項１１】
前記職員パネルには、前記勤務状態を選択する複数の状態設定ボタンが設けられ、
前記状態設定ボタンからの入力操作が前記病院情報コンピュータの勤務情報に記録されると共に、前記状態表示部に表示されることを特徴とする請求項７に記載のナースコールシステム。
【請求項１２】
前記ナースコール装置には、患者の異常事態の発生を職員に報知する外部の異常報知用可動手段をＯｎ／Ｏｆｆする緊急ボタンが更に設けられていることを特徴とする請求項７に記載のナースコールシステム。
【発明の詳細な説明】
【技術分野】
【０００１】
本発明は、看護記録が容易に行えるナースコール装置およびナースコールシステムに関する。
【背景技術】
【０００２】
医療現場（特に、病棟看護）において、看護師は患者に対して行った行為を全て記録に残すよう義務付けられている。しかしながら、予定を立て実施を行った行為に関しては、殆どのものが記録されているが、予定外で行った行為の多くが記録されていないのが現象である。予定外の行為は、そのトリガとなるのが患者からのナースコールである。
【０００３】
ナースコールに応答して、看護師が応答した通話内容の音声を文字に変換して記録するものとして、ナースコール親機に、ナースコール子機からの呼び出しに応答する看護師や医師が携行するＩＤカードのＩＤ情報を受信するＩＤ受信部と、音声情報を文字情報に変換する音声／文字変換部と、応答履歴を記憶する看護情報記録部とを設け、親機ＣＰＵに受信したＩＤ情報から応答者を判別させると共に、応答者情報、呼出操作した患者の患者情報、文字情報に変換した通話内容等を看護情報記録部に記録ものが発明されている（例えば、特許文献１参照）。
【先行技術文献】
【特許文献】
【０００４】
【特許文献１】特開２００９−３３５５９号公報
【発明の概要】
【発明が解決しようとする課題】
【０００５】
上記した特許文献１の発明では、看護師が応答した通話内容の音声を文字に変換して記録するために、音声情報を文字情報に変換する音声／文字変換部や応答履歴を記憶する看護情報記録部を必要とし、非常に高価なシステムとなっている。
【０００６】
また、医療現場では、ナースコールに応答した看護師は作業中の仕事が急ぎであった場合などは手が離せず、患者への対応を他の看護師に依頼したりすることが良くある。したがって、呼び出しに応答した看護師だけの記録では不十分な場合がある。また、現場での作業も患者の依頼事項だけでなく、その場その場で的確な対応することが求められることから、それらの対応も漏れなく記録する必要がある。したがって、会話応答の記録だけでは十分は記録が残せないと言う問題がある。
【０００７】
本発明は、上記問題点を解決するためになされたのもで、ナースコール装置と病院情報コンピュータを連携させることにより、ナースコール装置の操作内容をそのまま看護記録として漏れなく自動記録することができるナースコール装置およびナースコールシステムを提供することを目的とする。
【課題を解決するための手段】
【０００８】
上記目的を達成するために、本発明のナースコール装置は、患者名を入力する患者ネームプレートと、ナースコール応答用の受話器と、看護師名を入力する職員パネルと、
看護記録項目を入力する記録パネルと、これらを制御する制御部と、を有し、前記制御部は患者からのナースコールに応答して前記受話器で聴取したときに、当該患者のナースコール記録を自動作成することを特徴とする。
【０００９】
また、本発明のナースコールシステムは、患者名を入力する患者ネームプレートと、ナースコール応答用の受話器と、看護師名を入力する職員パネルと、看護記録項目を入力する記録パネルと、これらを制御する制御部とを有し、前記制御部は患者からのナースコールに応答して前記受話器で聴取したときに当該患者のナースコール記録を自動作成するナースコール装置と、前記ナースコール装置で作成された前記ナースコール記録が保存される看護記録データベースを有する病院情報コンピュータと、を有することを特徴とする。
【発明の効果】
【００１０】
本発明のナースコールシステムによれば、ナースコール装置と病院情報コンピュータＨＩＳを連携させて、ナースコール装置の操作内容をそのまま看護記録として漏れなく自動記録することができる。
【図面の簡単な説明】
【００１１】
【図１】本発明に係るナースコールシステムの全体構成を示す図。
【図２】実施形態の病院情報コンピュータＨＩＳの構成例を示すブロック図。
【図３】実施形態のナースコール装置の記録パネルの一例を示す図。
【図４】実施形態のナースコール装置の職員パネルの一例を示す図。
【図５】実施形態のナースコールシステムを用いて看護記録の第１の具体例を示す図。
【図６】実施形態のナースコールシステムを用いて看護記録の第１の具体例を示す図。
【発明を実施するための形態】
【００１２】
以下、本発明に係るナースコールシステムの実施形態を、図面を参照して説明する。
【００１３】
（実施例）
図１は、本発明に係るナースコールシステムの構成を示すブロック図である。
【００１４】
実施形態のナースコールシステムは、ナースコール装置１００と医療機関の病院情報コンピュータ２００により構成される。ナースコール装置１００は、患者ネームプレート１０、応答用受話器２０、記録パネル３０、職員パネル４０、表示パネル５０、制御部６０などによって構成されている。制御部６０は、患者ネームプレート１０、応答用受話器２０、記録パネル３０、職員パネル４０、および表示パネル５０を制御すると共に、看護記録情報を作成して表示パネル５０へ表示する。
【００１５】
そして、ナースコール装置１００は、医療機関の病院情報コンピュータ２００とローカルエリアネットワークＬＡＮによって接続されている。制御部６０は、生成した看護記録情報を病院情報コンピュータ２００へ送信することができる。
【００１６】
図３は、医療機関の病院情報コンピュータ２００の構成例を示すブロック図である。
【００１７】
病院情報コンピュータ２００は、ローカルエリアネットワークＬＡＮに、複数の医師用端末２００ａ、複数の看護師用端末２００ｂ、複数の薬剤用端末２００ｃ、および各種のデータベースが接続されて構成されている。データベースＤＢとしては、患者情報ＤＢ２０ｄ１、電子カルテ情報ＤＢ２００ｄ２、医師・看護師等の勤務情報ＤＢ２００ｄ３、薬剤情報ＤＢ２００ｄ４、看護記録ＤＢ２００ｄ５が接続されている。
【００１８】
図３は、ナースコール装置１００の記録パネル３０の詳細な構成を示す図である。
【００１９】
記録パネル３０は、記録内容の表示部３０１，３０２，３０３‥と、それに対応する選択ボタン３０ａ，３０ｂ，３０ｃ‥とで構成されている。例えば、図２に示した表示例では、右上１行目には、選択ボタン３０ａに対応して「点滴終了」３０１が表示されている。また、２行目には、選択ボタン３０ｂに対応して「排泄介助」３０２が表示されている。また、３行目には、選択ボタン３０ｃに対応して「移動介助」３０３が表示されている。また、４行目には、選択ボタン３０ｄに対応して「疼痛」３０４が表示されている。また、５行目には、選択ボタン３０ｅに対応して「ＡＤＬ介助」３０５が表示されている。なお、表示部３０ａ，３０ｂ，３０ｃ‥に選択ボタン機能を付加して、１つのキーボードとして構成しても良い。
【００２０】
この他、記録パネル３０には、看護行為および介助行為に関する約２０種程度の項目が表示されるようになっている。表示部３０１，３０２，３０３‥の設定は、ナースコール装置１００に接続される病院情報コンピュータ２００の看護記録ＤＢ２００ｄ５からの出力に応じて表示されている。
【００２１】
また、記録パネル３０には緊急（ＨＥＬＰ）ボタン３５０が設けられている。この緊急（ＨＥＬＰ）ボタン３５０は、患者の症状の変化により重大な事項が発生したことを医師・看護師に伝達するために用いられる。
【００２２】
図４は、ナースコール装置１００の職員パネル４０の詳細な構成を示す図である。
【００２３】
職員パネル４０は、職員名の表示部（看護師のネームプレート）４０１，４０２，４０３‥と、それに対応する職員選択ボタン４０ａ，４０ｂ，４０ｃ‥と、職員の状態を表す状態表示部４２１，４２２，４２３‥と、状態切替ボタンを構成する「Ｏｎ」状態切替ボタン４５１、「Ｏｕｔ」状態切替ボタン４５２、「Ｏｆｆ」状態切替ボタン４５３、「解除」状態切替ボタン４５４と、職員ＩＤの入力部を構成するＩＤ表示部４６１、ＩＤ入力用テンキー４６２とから構成される。なお、表示部職員選択ボタン４０ａ，４０ｂ，４０ｃ‥に選択ボタン機能を付加して、１つのキーボードとして構成しても良い。
【００２４】
図４に示す表示例では、左欄の職員名の表示部４０１乃至４０５の看護師Ａ１乃至Ａ５の状態表示部４２１乃至４２５は「Ｏｎ」状態が表示されている。この表示から、看護師Ａ１乃至Ａ５は勤務中であることが一目で分かるようになっている。
【００２５】
一方、右欄では、左欄と同様に、看護師Ｂ１と看護師Ｂ３と看護師Ｂ５は、状態表示部が「Ｏｎ」状態であるから勤務中であることが一目で分かる。また、看護師Ｂ２の状態表示部４３２は「Ｏｕｔ」状態であるから、患者搬送、又は物品搬送など看護業務ではあるが病棟を離れるためナースコールに対応できない状態が一目で分かる。また、看護師Ｂ４の状態表示部４３４は「Ｏｆｆ」状態であるから、休憩、又は会議、又は研修など患者看護業務外の状態が分かる。
【００２６】
これらの看護師の勤務は、職員ＩＤの入力部を構成するＩＤ表示部４６１、ＩＤ入力用テンキー４６２からの入力操作で設定される。
【００２７】
例えば、看護師Ａ１が職場に出勤すると、ＩＤ表示部４６１の表示を見ながらＩＤ入力用テンキー４６２を操作して自分の職員ＩＤ番号を入力し、「Ｏｎ」状態切替ボタン４５１を押す。すると、当該職員名の表示部４０１に対応する状態表示部４２１が「Ｏｎ」状態に表示される。また、対応する職員選択ボタン４０ａが選択可能な状態に変化する。
【００２８】
例えば、看護師Ｂ２が患者搬送、又は物品搬送など看護業務ではあるが病棟を離れるためナースコールに対応できない状態の場合、ＩＤ表示部４６１の表示を見ながらＩＤ入力用テンキー４６２を操作して自分の職員ＩＤ番号を入力し、「Ｏｕｔ」状態切替ボタン４５２を押す。すると、当該職員名の表示部４１２に対応する状態表示部４３２が「Ｏｕｔ」状態に表示される。また、対応する職員選択ボタン４０ｐが選択不可能な状態に変化する。
【００２９】
つまり、職員パネル４０には、同じフロアのナースコールセンタに勤務する職員の勤務状態が表示されている。よって、この職員パネル４０を見れば全職員の勤務状態を一目で把握することができる。また、職員ＩＤ番号の入力と、各種の状態切替ボタン４５１乃至５４４の操作に応答して、病院情報コンピュータ２００の勤務情報ＤＢ２００ｄ４に記録されるようになっている。
【００３０】
なお、職員ＩＤの入力は、本実施形態に限定されず、例えば、バーコード読取、カードリーダ読取、ＨＩＳ側システムからの操作と併設、代替も可能である。
【００３１】
次に、職員パネル４０の操作に基づく動作について詳細に説明する
（職員の出勤時）
出勤した職員は、ＩＤ入力用テンキー４６２から自分の職員ＩＤを入力し、「Ｏｎ」状態切替ボタン４５１を押下する。これに入力動作に連動して、制御部６０は病院情報コンピュータ２００と通信を行い、職員氏名、職員表示順（勤務表の並び順）を獲得し、職員パネル４０の職員名の表示部に表示する。同時に、状態表示部を「Ｏｎ」状態とし、職員選択ボタンをアクティブに変更する。そして、職員ＩＤの入力時間を、病院情報コンピュータ２００の職員勤務状況を記録する医師・看護師等の勤務情報ＤＢ２００ｄ３に出勤登録が行われる。
【００３２】
（職員の離席時：患者搬送、又は物品搬送など看護業務ではあるが病棟を離れるためナースコールに対応できない状態)
職員は、ＩＤ入力用テンキー４６２から自分の職員ＩＤを入力(または職員選択ボタンを押下)し、「Ｏｕｔ」状態切替ボタン４５２を押下する。制御部６０は、状態表示部を「Ｏｕｔ」状態にして、職員選択ボタンをインアクティブに変更する。
【００３３】
職員の離業務時(休憩、会議、研修など患者看護業務外の状態)
職員は、ＩＤ入力用テンキー４６２から自分の職員ＩＤを入力(または職員選択ボタンを押下)し、「Ｏｆｆ」状態切替ボタン４５３を押下する。制御部６０は、状態表示部を「Ｏｆｆ」状態にして、職員選択ボタンをインアクティブに変更する。また、制御部６０は、病院情報コンピュータ２００と通信を行う。病院情報コンピュータ２００は、職員勤務状況を、職員の患者看護外勤務の開始とみなす。
【００３４】
（職員の業務復帰時：ナースコールに対応できる状態)
職員は、ＩＤ入力用テンキー４６２から自分の職員ＩＤを入力(または職員選択ボタンを押下)し、「Ｏｎ」状態切替ボタン４５１を押下する。制御部６０は、状態表示部を「Ｏｎ」状態にして、職員選択ボタンをアクティブに変更する。また、制御部６０は、病院情報コンピュータ２００と通信を行う。病院情報コンピュータ２００は、職員の患者看護外勤務の終了とみなす。
【００３５】
（職員の退勤時）
職員は、ＩＤ入力用テンキー４６２から自分の職員ＩＤを入力し、「解除」状態切替ボタン４５２を押下する。制御部６０は、職員パネル４０の職員名の表示部に表示されていた職員氏名を消去し、状態表示部を「解除」状態に設定し、職員選択ボタンをインアクティブに変更する。制御部６０は、職員ＩＤが入力された時間をもって、病院情報コンピュータ２００と通信を行う。病院情報コンピュータ２００は、職員の退勤登録として医師・看護師等の勤務情報ＤＢ２００ｄ３に記録する。
【００３６】
上記操作により、職員の出退勤管理、入院基本料の施設基準に関係する患者看護業務時間を正しく病院情報コンピュータ２００に送信し、重複入力を回避する。病院情報コンピュータ２００側でのデータ修正は可能とする。
【００３７】
次に、職員パネル４０の操作に基づくナースコールの動作について説明する
（ナースコール応答時）
患者ネームプレート１０からナースコールしている患者を選択し、応答する。また、受話器２０を用いて患者の訴えを聴取し、記録パネル３０から聴取した内容に該当する項目の記録選択ボタンを押下する。更に、患者への対応者（看護師）を確認し、職員パネル４０から該当看護師の職員選択ボタンを押下する。なお、記録パネル３０からの記録選択ボタンの押下、職員パネル４０からの職員選択ボタンの押下順は問わない。また、どちらもショートカットする機能を保持する。制御部６０には、患者ネームプレート１０、受話器２０、記録パネル３０、職員パネル４０の操作情報が送信されている。
【００３８】
そして、制御部６０は病院情報コンピュータ２００と通信を行い、患者ＩＤ、職員ＩＤ、記録内容(コード)を送信する。病院情報コンピュータ２００は、受取った情報から看護記録を看護記録ＤＢ４００ｄ５に保存する。
【００３９】
患者からのナースコールにおいて、患者の容態が急変したような異常事態を告げるものである場合、対応者は記録パネル３０に設けられた緊急（ＨＥＬＰ）ボタン３５０を直ちに押下する。これにより、患者の異常事態の発生状況が職員全員（医師・看護師）に通知されることになる。この場合の通知手段としては、他の入院患者などに動揺を与えるものであってはならない。したがって、緊急サイレンなどの報知手段によるものではなく、予め取決められている異常報知用可動手段を作動させるように設定しておく。よって、緊急（ＨＥＬＰ）ボタン３５０は、緊急報知用可動部品の動作スイッチとして機能するものである。なお、可動物による報知手段の構成は、例えば特開２００８−１１９０４２号公報の技術を取り入れることができる。即ち、同公報に記載される可動物を異常報知用可動手段とし、これを記録パネル３０に設けられた緊急（ＨＥＬＰ）ボタン３５０と連携するように構成すれば良い。ここでは、緊急（ＨＥＬＰ）ボタン３５０を記録パネル３０に設ける構造としたが、ナースコール装置１００の任意の位置に設けることができる。
【００４０】
（記録の追加・修正・削除など）
制御部６０は、病院情報コンピュータ２００にログインし、看護記録ＤＢ４００ｄ５から対応したナースコール記録を一覧表示する。そして、編集対象となる記録情報を選択し、記録の追記・修正・削除を行うことができる。
【００４１】
次に、ナースコールシステムを用いた看護記録の動作例をいくつか説明する。
【００４２】
（１）患者Ａが「移動介助」を求めるためにナースコールが行われ、看護師Ｂ１が当該ナースコールに応答し、患者Ａの対応は看護師Ａ２を行うケースを想定する。下表１には、想定（１）の動作行為の時系列の流れを分かり易く示している。
【表１】
2010258869.tif 000003
【００４３】
次に、このケース（１）におけるナースコールシステムの操作及び動作を説明する。
【００４４】
このケースで、例えば、１１：２５分に患者Ａからナースコールが行われると、ナースコール装置１００の受話器２０に呼び出しが掛かる。看護師Ｂ１は、患者ネームプレート１０の患者Ａを選択して受話器２０を取る。そして、患者Ａと対話することにより、「移動介助」の依頼を受け付ける。
【００４５】
看護師Ｂ１は、ナースコール装置１００の記録パネル３０の「移動介助」３０３を押下する。看護師Ｂ１は他の用事で手が離せないことを告げて、看護師Ａ２へ患者Ａの「移動介助」を依頼する。看護師Ａ２が依頼を了承して患者Ａの病室に向いことを確認すると、看護師Ｂ１は、職員パネル４０から看護師Ａ２（４０２）に対応する職員選択ボタン４０ｂを押下して応答を終了する。
【００４６】
図５は、上述した患者ネームプレート１０、記録パネル３０、職員パネル４０の一連の操作に応答して作成され、表示パネル５０に表示されたナースコール記録を示す図である。
【００４７】
即ち、ナースコール装置１００の制御部６０は、患者ネームプレート１０、記録パネル３０、職員パネル４０の一連の操作に応答して看護記録を作成して、表示パネル５０に表示することができる。
【００４８】
先ず、制御部６０は、ナースコールに応じて患者ネームプレート１０の患者Ａを選択する操作により、記録画面５０ａに患者Ａを記録する。また、受話器２０の操作によって「ナースコール」を選択し、呼び出し時刻５０ｂを記録する。また、記録パネル３０の「移動介助」３０３を押下によって「移動介助」５０ｃを記録する。そして、記録内容５０ｄに「ナースコールあり」を記録する。また、記録内容５０ｅに職員パネル４０の看護師Ａ２（４０２）に対応する職員選択ボタン４０ｂを押下によって「看護師Ａ２対応」を記録する。なお、記録内容には適宜行を挿入して看護記録を追記することができる。最後に登録ボタンを押下することにより、表示パネル５０に記録された看護記録が図示しない内部メモリに記録される。
【００４９】
そして、制御部６０は、このようにして記録した記録情報を、病院情報コンピュータ２００へ送信する。病院情報コンピュータ２００は、送信された記録情報を看護記録ＤＢ４００ｄ５に保存する。
【００５０】
（２）患者Ａがナースコール（目的不明）、看護師Ｂ１がナースコール応答し、自ら患者対応を行うケースを想定する。同様に、下表２には、想定（２）の動作行為の時系列の流れを分かり易く示している。
【表２】
2010258869.tif 000004
【００５１】
次に、このケース（２）におけるナースコールシステムの操作及び動作を説明する。
【００５２】
このケースで、例えば、１１：２５分に患者Ａからナースコールが行われると、ナースコール装置１００の受話器２０に呼び出しが掛かる。看護師Ｂ１は、患者ネームプレート１０の患者Ａを選択して受話器２０を取る。そして、患者Ａと対話を開始する。
【００５３】
患者Ａからの呼び出しであるので、記録パネル３０の選択ボタンおよび職員パネル４０の職員選択ボタンを押下しないで、応答を終了する。
【００５４】
図６は、上述した一連の操作に応答して作成され、表示パネル５０に表示されたナースコール記録を示す図である。
【００５５】
先ず、制御部６０は、ナースコールに応じて患者ネームプレート１０の患者Ａを選択する操作により、記録画面５０ｆに患者Ａを記録する。また、受話器２０の操作によって「ナースコール」を選択し、呼び出し時刻５０ｇを記録する。記録内容５０ｈに「ナースコールあり」を記録する。患者Ａとの対応処理を終えると、記録内容ｈに看護記録を記録して、最後に登録ボタンを押下する。これにより、表示パネル５０に記録された看護記録が図示しない内部メモリに記録される。
【００５６】
そして、制御部６０は、このようにして記録した記録情報を、病院情報コンピュータ２００へ送信する。病院情報コンピュータ２００は、送信された記録情報を看護記録ＤＢ４００ｄ５に保存する。
【００５７】
本発明によれば、ナースコール装置に設けられている患者ネームプレート、記録パネル、職員パネルの操作に応答して看護記録が自動作成されるようになっているため、看護師の作成負担を著しく軽減することができる。また、作成された内容は、表示パネルに表示されて追加記録することもでき、その看護記録は病院情報コンピュータに保存することができる。
【００５８】
また、患者からのナースコールに応答して、患者の異常事態を異常報知用可動手段によって日常と変わらぬ雰囲気の中で全職員に報知することができる。
【００５９】
本発明は、上記した実施形態に限定されるものではなく、本発明の要旨を逸脱しない範囲において適宜設計変更可能である。また、各実施形態を適宜組み合わせても良い。
【符号の説明】
【００６０】
１０‥患者ネームプレート、２０‥応答用受話器、３０‥記録パネル、４０‥職員パネル、５０‥表示パネル、６０‥制御部、１００‥ナースコール装置、２００‥病院情報コンピュータ、２００ａ‥複数の医師用端末、２００ｂ‥複数の看護師用端末、２００ｃ‥複数の薬剤用端末、２００ｄ１‥患者情報ＤＢ、２００ｄ２‥電子カルテ情報ＤＢ、２００ｄ３‥医師・看護師等の勤務情報ＤＢ、２００ｄ４‥薬剤情報ＤＢ、２００ｄ５‥看護記録
【図１】
2010258869.tif 000005
【図２】
2010258869.tif 000006
【図３】
2010258869.tif 000007
【図４】
2010258869.tif 000008
【図５】
2010258869.tif 000009
【図６】
2010258869.tif 000010